【手続補正書】
【提出日】平成19年5月22日(2007.5.22)
【手続補正１】
【補正対象書類名】特許請求の範囲
【補正対象項目名】全文
【補正方法】変更
【補正の内容】
【特許請求の範囲】
【請求項１】
ＩＰネットワーク上のＥＮＵＭクライアント端末に対応するＷｅｂサーバへのリンク情報をＮＡＰＴＲリソースレコードとして登録しＥＮＵＭクライアント端末の問合せに応じて当該ＮＡＰＴＲリソースレコードを返送するＥＮＵＭサーバと、前記ＥＮＵＭサーバへＮＡＰＴＲリソースレコードの問合せを行って返送された当該ＮＡＰＴＲリソースレコードに含まれるＷｅｂサーバへのリンク情報に基づいて前記Ｗｅｂサーバにアクセスし他のＥＮＵＭクライアント端末のＮＡＰＴＲリソースレコードを取得するＥＮＵＭクライアント端末と、前記リンク情報に対応する他のＥＮＵＭクライアント端末のＮＡＰＴＲリソースレコードをＥＮＵＭクライアント端末からの要求に応じて当該ＥＮＵＭクライアント端末に送信するＷｅｂサーバと、を具備することを特徴とするＥＮＵＭシステム。
【請求項２】
前記ＥＮＵＭサーバに登録されたＮＡＰＴＲリソースレコードには、通信内容に対して暗号化処理を行うプロトコルが設定され、前記ＥＮＵＭクライアント端末は前記ＥＮＵＭサーバより取得した前記プロトコルにより前記Ｗｅｂサーバと通信を行うことを特徴とする請求項１記載のＥＮＵＭシステム。
【請求項３】
前記ＥＮＵＭサーバに登録されたＮＡＰＴＲリソースレコードには、ｈｔｔｐｓプロトコルが設定されていることを特徴とする請求項２記載のＥＮＵＭシステム。
【請求項４】
Ｗｅｂサーバに登録されたＮＡＰＴＲリソースレコードへのリンク情報並びに通信内容に対して暗号化処理を行うプロトコルが設定されたＮＡＰＴＲリソースレコードを登録するＥＮＵＭサーバおよび前記リンク情報に対応するＩＰネットワーク上の他のＥＮＵＭクライアント端末に対応するＮＡＰＴＲリソースレコードを登録するＷｅｂサーバに接続されたＥＮＵＭクライアント端末であって、前記他のＥＮＵＭクライアント端末のＮＡＰＴＲリソースレコードを前記ＥＮＵＭサーバに問い合わせ、返送されたＮＡＰＴＲリソースレコードに指定されたリンク情報へのアクセスを前記暗号化処理を行うプロトコルを用いて前記Ｗｅｂサーバに要求し、前記他のＥＮＵＭクライアント端末に対応するＮＡＰＴＲリソースレコードを取得することを特徴とするＥＮＵＭクライアント端末。
【請求項５】
前記ＥＮＵＭクライアント端末は、前記ＥＮＵＭサーバに登録されたＮＡＰＴＲリソースレコードに設定されたｈｔｔｐｓプロトコルを用いてリンク情報へのアクセスを要求することを特徴とする請求項４記載のＥＮＵＭクライアント端末。
【請求項６】
Ｗｅｂサーバに登録されたＮＡＰＴＲリソースレコードへのリンク情報並びに通信内容に対して暗号化処理を行うプロトコルが設定されたＮＡＰＴＲリソースレコードを登録するＥＮＵＭサーバおよび前記リンク情報に対応するＩＰネットワーク上の他のＥＮＵＭクライアント端末に対応するＮＡＰＴＲリソースレコードを登録するＷｅｂサーバに接続されたＥＮＵＭクライアント端末における端末情報取得方法であって、前記他のＥＮＵＭクライアント端末のＮＡＰＴＲリソースレコードを前記ＥＮＵＭサーバに問い合わせ、返送されたＮＡＰＴＲリソースレコードに指定されたリンク情報へのアクセスを前記暗号化処理を行うプロトコルを用いて前記Ｗｅｂサーバに要求し、前記他のＥＮＵＭクライアント端末に対応するＮＡＰＴＲリソースレコードを取得することを特徴とする端末情報取得方法。
【請求項７】
前記ＥＮＵＭサーバに登録されたＮＡＰＴＲリソースレコードに設定されたｈｔｔｐｓプロトコルを用いてリンク情報へのアクセスを要求することを特徴とする請求項６記載の端末情報取得方法。
【手続補正２】
【補正対象書類名】明細書
【補正対象項目名】０００８
【補正方法】変更
【補正の内容】
【０００８】
本発明は、ＩＰネットワーク上のＥＮＵＭクライアント端末に対応するＷｅｂサーバへのリンク情報をＮＡＰＴＲリソースレコードとして登録しＥＮＵＭクライアント端末の問合せに応じて当該ＮＡＰＴＲリソースレコードを返送するＥＮＵＭサーバと、前記ＥＮＵＭサーバへＮＡＰＴＲリソースレコードの問合せを行って返送された当該ＮＡＰＴＲリソースレコードに含まれるＷｅｂサーバへのリンク情報に基づいて前記Ｗｅｂサーバにアクセスし他のＥＮＵＭクライアント端末のＮＡＰＴＲリソースレコードを取得するＥＮＵＭクライアント端末と、前記リンク情報に対応する他のＥＮＵＭクライアント端末のＮＡＰＴＲリソースレコードをＥＮＵＭクライアント端末からの要求に応じて当該ＥＮＵＭクライアント端末に送信するＷｅｂサーバと、を備えたものである。
【手続補正３】
【補正対象書類名】明細書
【補正対象項目名】００１０
【補正方法】変更
【補正の内容】
【００１０】
本発明の第１の態様に係るＥＮＵＭシステムは、ＩＰネットワーク上のＥＮＵＭクライアント端末に対応するＷｅｂサーバへのリンク情報をＮＡＰＴＲリソースレコードとして登録しＥＮＵＭクライアント端末の問合せに応じて当該ＮＡＰＴＲリソースレコードを返送するＥＮＵＭサーバと、前記ＥＮＵＭサーバへＮＡＰＴＲリソースレコードの問合せを行って返送された当該ＮＡＰＴＲリソースレコードに含まれるＷｅｂサーバへのリンク情報に基づいて前記Ｗｅｂサーバにアクセスし他のＥＮＵＭクライアント端末のＮＡＰＴＲリソースレコードを取得するＥＮＵＭクライアント端末と、前記リンク情報に対応する他のＥＮＵＭクライアント端末のＮＡＰＴＲリソースレコードをＥＮＵＭクライアント端末からの要求に応じて当該ＥＮＵＭクライアント端末に送信するＷｅｂサーバと、を具備する構成を採る。
【手続補正４】
【補正対象書類名】明細書
【補正対象項目名】００１１
【補正方法】変更
【補正の内容】
【００１１】
この構成によれば、Ｗｅｂサーバに登録されたＮＡＰＴＲリソースレコードへのリンク情報がＥＮＵＭサーバのＮＡＰＴＲリソースレコードに登録され、Ｗｅｂサーバに他のＥＮＵＭクライアント端末に対応するＮＡＰＴＲリソースレコードが登録される。従って、他のＥＮＵＭクライアント端末のＮＡＰＴＲリソースレコードを取得する場合には、まず、ＥＮＵＭサーバにアクセスしてリンク情報が指定されたＮＡＰＴＲリソースレコードを取得した後、Ｗｅｂサーバにアクセスして所望のＮＡＰＴＲリソースレコードを取得する。所望のＮＡＰＴＲリソースレコードを取得するためには、２段階でアクセスする必要が生じるので、システムのセキュリティを高めることができ、システムを安全に運用することができるという効果を得ることができる。
【手続補正５】
【補正対象書類名】明細書
【補正対象項目名】００１２
【補正方法】変更
【補正の内容】
【００１２】
本発明の第２の態様は、第１の態様に係るＥＮＵＭシステムにおいて、前記ＥＮＵＭサーバに登録されたＮＡＰＴＲリソースレコードには、通信内容に対して暗号化処理を行うプロトコルが設定され、前記ＥＮＵＭクライアント端末は前記ＥＮＵＭサーバより取得した前記プロトコルにより前記Ｗｅｂサーバと通信を行う構成を採る。
【手続補正６】
【補正対象書類名】明細書
【補正対象項目名】００１３
【補正方法】変更
【補正の内容】
【００１３】
この構成によれば、ＥＮＵＭサーバに登録されたＮＡＰＴＲリソースレコードには、リンク情報と暗号化プロトコルが設定されている。従って、他のＥＮＵＭクライアント端末のＮＡＰＴＲリソースレコードを取得する場合には、まず、ＥＮＵＭサーバにアクセスしてリンク情報が指定されたＮＡＰＴＲリソースレコードを取得した後、暗号化機能を有するプロトコルに従ってＷｅｂサーバにアクセスして所望のＮＡＰＴＲリソースレコードを取得するようにすることで、ＥＮＵＭサーバから取得される情報はリンク情報が指定されたＮＡＰＴＲリソースレコードに限定される。また、そのリンク情報が指定されたＮＡＰＴＲリソースレコードにより指定されたＮＡＰＴＲリソースレコードを取得する際にＩＰネットワーク上に送出される情報は暗号化されている。このため、所望のＮＡＰＴＲリソースレコードに記載された情報がＩＰネットワーク上で第三者に取得される事態を確実に回避することができる。この結果、安全にシステムを運用することができるという効果を得ることができる。
【手続補正７】
【補正対象書類名】明細書
【補正対象項目名】００１６
【補正方法】変更
【補正の内容】
【００１６】
本発明の第４の態様に係るＥＮＵＭクライアント端末は、Ｗｅｂサーバに登録されたＮＡＰＴＲリソースレコードへのリンク情報並びに通信内容に対して暗号化処理を行うプロトコルが設定されたＮＡＰＴＲリソースレコードを登録するＥＮＵＭサーバおよび前記リンク情報に対応するＩＰネットワーク上の他のＥＮＵＭクライアント端末に対応するＮＡＰＴＲリソースレコードを登録するＷｅｂサーバに接続されたＥＮＵＭクライアント端末であって、前記他のＥＮＵＭクライアント端末のＮＡＰＴＲリソースレコードを前記ＥＮＵＭサーバに問い合わせ、返送されたＮＡＰＴＲリソースレコードに指定されたリンク情報へのアクセスを前記暗号化処理を行うプロトコルを用いて前記Ｗｅｂサーバに要求し、前記他のＥＮＵＭクライアント端末に対応するＮＡＰＴＲリソースレコードを取得する構成を採る。
【手続補正８】
【補正対象書類名】明細書
【補正対象項目名】００１７
【補正方法】変更
【補正の内容】
【００１７】
この構成によれば、Ｗｅｂサーバに登録されたＮＡＰＴＲリソースレコードへのリンク情報がＥＮＵＭサーバのＮＡＰＴＲリソースレコードに登録され、Ｗｅｂサーバに他のＥＮＵＭクライアント端末に対応するＮＡＰＴＲリソースレコードが登録される。また、このＥＮＵＭサーバに登録されたＮＡＰＴＲリソースレコードのＳｅｒｖｉｃｅフィールドには、暗号化プロトコルが設定されている。ＥＮＵＭクライアント端末は、他のＥＮＵＭクライアント端末のＮＡＰＴＲリソースレコードを取得する場合、まず、ＥＮＵＭサーバにアクセスしてリンク情報が指定されたＮＡＰＴＲリソースレコードを取得した後、暗号化機能を有するプロトコルに従ってＷｅｂサーバにアクセスして所望のＮＡＰＴＲリソースレコードを取得する。これにより、ＥＮＵＭサーバから取得される情報はリンク情報が指定されたＮＡＰＴＲリソースレコードに限定される。また、そのリンク情報が指定されたＮＡＰＴＲリソースレコードにより指定されたＮＡＰＴＲリソースレコードを取得する際にＩＰネットワーク上に送出される情報は暗号化されている。このため、所望のＮＡＰＴＲリソースレコードに記載された情報がＩＰネットワーク上で第三者に取得される事態を確実に回避することができる。この結果、安全にシステムを運用することができるという効果を得ることができる。
【手続補正９】
【補正対象書類名】明細書
【補正対象項目名】００２０
【補正方法】変更
【補正の内容】
【００２０】
本発明の第６の態様に係るＥＮＵＭクライアント端末における端末情報取得方法は、Ｗｅｂサーバに登録されたＮＡＰＴＲリソースレコードへのリンク情報並びに通信内容に対して暗号化処理を行うプロトコルが設定されたＮＡＰＴＲリソースレコードを登録するＥＮＵＭサーバおよび前記リンク情報に対応するＩＰネットワーク上の他のＥＮＵＭクライアント端末に対応するＮＡＰＴＲリソースレコードを登録するＷｅｂサーバに接続されたＥＮＵＭクライアント端末における端末情報取得方法であって、前記他のＥＮＵＭクライアント端末のＮＡＰＴＲリソースレコードを前記ＥＮＵＭサーバに問い合わせ、返送されたＮＡＰＴＲリソースレコードに指定されたリンク情報へのアクセスを前記暗号化処理を行うプロトコルを用いて前記Ｗｅｂサーバに要求し、前記他のＥＮＵＭクライアント端末に対応するＮＡＰＴＲリソースレコードを取得するようにしたものである。